(57)【要約】【課題】マウント処理に要する時間を短縮した光ディスク装置を提供する。【解決手段】制御部４は、光ディスク１００のリードイン領域から光ディスク１００のＩＤをＰＵヘッド２に読取らせる（Ｓ１１）。さらに、制御部４は、ＰＣＡにおいてレーザパワーの校正が行われた領域とまだ行われていない領域との境界点をＰＵヘッド２に調査させる（Ｓ１２）。制御部４は、第１の場面（前回）のＳ３及びＳ５において記憶部６に記録したＩＤと境界点と記録管理情報とを、記憶部６から読取る（Ｓ１４）。制御部４は、Ｓ１１において光ディスク１００から読取ったＩＤ及び境界点が記憶部６から読取ったＩＤ及び境界点と一致するか否かを判断する（Ｓ１５、Ｓ１８）。両方が一致すると判断した場合、制御部４は、（前回に）記憶部６に記録した方の記録管理情報を利用する（Ｓ１９）。そのため、マウント処理に要する時間（Ｓ１６、Ｓ１７）を短縮することができる。【選択図】図２
2007323696.tif 000002
【特許請求の範囲】
【請求項１】
装置本体にマウントされている記録用光ディスクにピックアップヘッドからレーザ光を照射し、その記録用光ディスクに対して、データの記録又は読取を行う記録読取手段を備えたＤＶＤレコーダにおいて、
記録用光ディスクの記録管理に用いられる記録管理情報と、記録用光ディスクに予め記録されていて記録用光ディスクの個体を一意に識別するＩＤと、記録用光ディスクにおけるレーザパワーの校正が行われた領域とまだ行われていない領域との境界点と、を記憶する記憶手段を備え、
前記記録読取手段は、装置本体にマウントされている記録用光ディスクへの記録が終了した後であってその記録用光ディスクのエジェクトが指示された時に、該記録用光ディスクから前記記録管理情報および前記ＩＤを読取るとともに、該記録用光ディスクの前記境界点を調査して、該記録管理情報、該境界点、および該ＩＤを前記記憶手段に記録する終了記録機能を有し、
さらに、前記記録読取手段の前記終了記録機能を有効にするか無効にするかを切替える切替手段と、
前記切替手段において前記終了記録機能が無効に切替られている場合、前記記録読取手段の前記終了記録機能を無効にする無効手段と、を備え、
前記記録読取手段は、記録用光ディスクが装置本体にマウントされた場合、該記録用光ディスクから前記ＩＤを読取るとともに、該記録用光ディスクの前記境界点を調査し、該境界点および該ＩＤが前記記憶手段に記録した前記境界点および前記ＩＤと一致するか否かを判断し、両方が一致していなければ、該記録用光ディスクから前記記録管理情報を読取って利用し、両方が一致していれば、該記録用光ディスクからの前記記録管理情報の読取を省略して、前記記憶手段に記録されている前記記録管理情報を利用するＤＶＤレコーダ。
【請求項２】
装置本体にマウントされている記録用光ディスクにピックアップヘッドからレーザ光を照射し、その記録用光ディスクに対して、データの記録又は読取を行う記録読取手段を備えた光ディスク装置において、
記録用光ディスクの記録管理に用いられる記録管理情報と、記録用光ディスクに予め記録されていて記録用光ディスクの個体を一意に識別するＩＤと、記録用光ディスクにおけるレーザパワーの校正が行われた領域とまだ行われていない領域との境界点と、を記憶する記憶手段を備え、
前記記録読取手段は、
装置本体にマウントされている記録用光ディスクへの記録が終了した後に、該記録用光ディスクから前記記録管理情報および前記ＩＤを読取るとともに、該記録用光ディスクの前記境界点を調査して、該記録管理情報、該境界点、および該ＩＤを前記記憶手段に記録する終了記録機能を有し、
記録用光ディスクが装置本体にマウントされた場合、該記録用光ディスクから前記ＩＤを読取るとともに、該記録用光ディスクの前記境界点を調査し、該境界点および該ＩＤが前記記憶手段に記録した前記境界点および前記ＩＤと一致するか否かを判断し、両方が一致していなければ、該記録用光ディスクから前記記録管理情報を読取って利用し、両方が一致していれば、該記録用光ディスクからの前記記録管理情報の読取を省略して、前記記憶手段に記録されている前記記録管理情報を利用する光ディスク装置。
【請求項３】
前記記録読取手段は、装置本体にマウントされている記録用光ディスクへの記録が終了した後であってその記録用光ディスクのエジェクトが指示された時に、前記終了記録機能を実行する請求項２に記載の光ディスク装置。
【請求項４】
前記記録読取手段の前記終了記録機能を有効にするか無効にするかを切替える切替手段と、
前記切替手段において前記終了記録機能が無効に切替られている場合、前記記録読取手段の前記終了記録機能を無効にする無効手段と、を備える請求項２又は３に記載の光ディスク装置。
【発明の詳細な説明】
【技術分野】
【０００１】
本発明は、光ディスク装置におけるマウント処理に関するものである。
【背景技術】
【０００２】
従来、光ディスクに記録されている映像や音声を再生する光ディスク装置が実用化され、一般に普及している。そして、光ディスクには、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）といった様々な種類がある。この記録用光ディスクの記録領域は、その内周から外周にかけて、レーザパワーの校正を行うＰＣＡ（Power  Calibration  Area）と、光ディスク装置にとって必要な記録管理情報が記録されている光ディスク上のＲＭＡ（Recording  Management  Area）と、光ディスク上のデータ領域に記録されているデータのインフォメーションデータ（以下、ＴＯＣデータという）が記録されているリードイン領域と、音声や映像等のデータが記録されるデータ領域と、データがファイナライズされた場合に作成されるリードアウト領域と、に分けられている。
【０００３】
従来の一般的な光ディスク装置は、ユーザが光ディスクを装置本体にセットした時、自動的にマウント処理を行う。マウント処理とは、光ディスク装置がピックアップヘッドを移動させて、ＲＭＡとリードイン領域とのデータの読取を行う処理である。そして、マウント処理が終了すると、光ディスク装置は、光ディスクに記録されているファイルの一覧を表示器に表示する。ファイルには、映像ファイルや音楽ファイル等が含まれる。ユーザは、表示器を見て、ファイルの一覧から所望のファイルを操作手段で指定する。すると、光ディスク装置は、指定されたファイルの再生を実行する。
一方、光ディスクの同一性を判断するために、ＴＯＣデータの一致を判断基準とした光ディスク装置が提案されている（特許文献１参照）。
【特許文献１】特開平５−３１４７３０号公報
【発明の開示】
【発明が解決しようとする課題】
【０００４】
しかしながら、上記の従来の光ディスク装置において、ＲＭＡに記録されている記録管理情報の読取には、多くの時間を要する。その主な理由は、ＲＭＡの中から最新の記録管理情報を探索しなければならないためである。
そのため、上記従来の光ディスク装置は、マウント処理に多くの時間を要していた。
よって、ユーザが光ディスクを装置本体にセットしても、マウント処理に時間がかかるため、ユーザはしばらくの間待たされていた。従って、上記従来の光ディスク装置では、ユーザの使い勝手が悪いという問題があった。
【０００５】
本発明はこのような従来の課題を解決しようとするものであり、マウント処理に要する時間を短縮した光ディスク装置を提供することを目的とする。
【課題を解決するための手段】
【０００６】
本発明の光ディスク装置は、前記課題を解決するために以下の構成を備えている。
【０００７】
（１）装置本体にマウントされている記録用光ディスクにピックアップヘッドからレーザ光を照射し、その記録用光ディスクに対して、データの記録又は読取を行う記録読取手段を備えた光ディスク装置において、
記録用光ディスクの記録管理に用いられる記録管理情報と、記録用光ディスクに予め記録されていて記録用光ディスクの個体を一意に識別するＩＤと、記録用光ディスクにおけるレーザパワーの校正が行われた領域とまだ行われていない領域との境界点と、を記憶する記憶手段を備え、
前記記録読取手段は、
装置本体にマウントされている記録用光ディスクへの記録が終了した後に、該記録用光ディスクから前記記録管理情報および前記ＩＤを読取るとともに、該記録用光ディスクの前記境界点を調査して、該記録管理情報、該境界点、および該ＩＤを前記記憶手段に記録する終了記録機能を有し、
記録用光ディスクが装置本体にマウントされた場合、該記録用光ディスクから前記ＩＤを読取るとともに、該記録用光ディスクの前記境界点を調査し、該境界点および該ＩＤが前記記憶手段に記録した前記境界点および前記ＩＤと一致するか否かを判断し、両方が一致していなければ、該記録用光ディスクから前記記録管理情報を読取って利用し、両方が一致していれば、該記録用光ディスクからの前記記録管理情報の読取を省略して、前記記憶手段に記録されている前記記録管理情報を利用する。
【０００８】
この構成において、記録管理情報は、ＲＭＡに記録されている。ＩＤは、ＲＭＡ又はリードイン領域に予め記録されている。ＩＤは、例えばメディアＩＤである。また、レーザパワーの校正は、ＰＣＡにおいて行われる。そのため、記録読取手段は、ＰＣＡを調査することにより境界点を取得できる。
この構成では、記録用光ディスクへの記録が終了した後の第１の場面と、記録用光ディスクが装置本体にマウントされた第２の場面と、に分かれる。
つまり、記録読取手段は、第１の場面において終了記録機能を実行し、その時にマウントされている記録用光ディスクの記録管理情報とＩＤと境界点とを記憶手段に記録する。
そして、記録読取手段は、第２の場面において、今回マウントされている記録用光ディスクのＩＤ及び境界点が、前回の第１の場面において記憶手段に記録したＩＤ及び境界点と一致するか否かを判断する。
ここで、ＩＤが一致するということは、今回マウントされている光ディスクが前回マウントされていた光ディスクと同じ光ディスクであるということを意味する。また、境界点が一致するということは、今回マウントされている光ディスクが、前回のエジェクト時以後、他の光ディスク装置によってデータを記録されていないことを意味する。つまり、両方が一致するということは、今回マウントされている記録用光ディスクと前回マウントした記録用光ディスクとが同一であり、且つ両光ディスクの記録管理情報も同一であることを意味する。
記録読取手段は、両方が一致していると判断すれば、該記録用光ディスクからの記録管理情報の読取を省略して、第１の場面において記憶手段に記録した記録管理情報を利用する。ここで、記録読取手段は、記録用光ディスクからの記録管理情報の読取を省略するので、ＲＭＡに記録されている記録管理情報の読取を行う必要がない。
そのため、マウント処理に要する時間を短縮することができる。従って、ユーザの使い勝手を向上させることができる。
【０００９】
（２）前記記録読取手段は、装置本体にマウントされている記録用光ディスクへの記録が終了した後であってその記録用光ディスクのエジェクトが指示された時に、前記終了記録機能を実行する。
【００１０】
この構成においては、記録読取手段は、第１の場面において、エジェクトが指示された時にのみ記録管理情報およびＩＤを読取したり、境界点を調査したりする。そして、記録読取手段は、これらを記憶手段に記録する。そのため、記録読取手段は、記録用光ディスクへの記録が終了する都度に記録管理情報およびＩＤを読取したり、境界点を調査したりしない。
よって、ここでは、第１の場面において、記録用光ディスクへの記録が終了する都度にユーザを待たせない。従って、ユーザの使い勝手を一層向上させることができる。
【００１１】
（３）前記記録読取手段の前記終了記録機能を有効にするか無効にするかを切替える切替手段と、
前記切替手段において前記終了記録機能が無効に切替られている場合、前記記録読取手段の前記終了記録機能を無効にする無効手段と、を備える
上記（１）（２）では、終了記録機能が有効に決められていたが、ここでは、終了記録機能を有効にするか無効にするかのいずれか一方をユーザが切替できる。
この構成においては、終了記録機能を有効にすると、上述と同じようにマウント時間を短縮することができる。一方、終了記録機能を無効にすると、第１の場面において記録用光ディスクから記録管理情報の読取等を行わなくなる。具体的には、記録用光ディスクのエジェクトが指示された時、記録読取手段は、記録用光ディスクから記録管理情報の読取等を行う必要がないため、記録用光ディスクをすぐにエジェクトする。逆に、マウント時間は短縮されない。
以上より、第１の場面におけるエジェクトを指示してからその命令が実行されるまでに要する時間等を短縮させるか、第２の場面におけるマウント処理に要する時間を短縮させるか、をユーザが自分の使用方法に応じて選択できる。従って、ユーザの使い勝手を一層向上させることができる。
【発明の効果】
【００１２】
この発明によれば、ユーザの使い勝手を向上させることができる。
【発明を実施するための最良の形態】
【００１３】
以下、本発明の実施形態である光ディスク装置について説明する。
【００１４】
図１は、本発明の実施形態である光ディスク装置の主要な構成を示すブロック図である。光ディスク装置１は、所謂ＤＶＤレコーダであり、装置本体１を制御する制御部４と、光ディスク１００に対しデータの記録や読取を行うピックアップヘッド２（以下、PUヘッド２と称する。）と、RFアンプなどの記録再生部３と、録音キーまたは録画キー等の選択キーが設けられている操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、ＴＶ放送信号等を受信してデータを取得する受信部１０と、を備えている。また、光ディスク装置１は、光ディスク１００をエジェクトする不図示の排出機構も備えている。
【００１５】
光ディスク１００は、例えばＣＤ−Ｒ、ＣＤ−ＲＷ、ＤＶＤ−Ｒ、ＤＶＤ＋Ｒ、ＤＶＤ−ＲＡＭ、ＤＶＤ−ＲＷ、又はＤＶＤ＋ＲＷである。
【００１６】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、アクチュエータは、対物レンズを光ディスク１００に接離する方向、及び光ディスク１００の半径方向に移動させる。
【００１７】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００１８】
記録再生部３は、ＰＵヘッド２における複数の受光素子の出力に基づいてＲＦ信号を生成し、該ＲＦ信号を増幅する。そして、記録再生部３は、該ＲＦ信号を処理して映像と音声のデータを取り出し、デコードする。ここで、取り出される映像と音声のデータは、例えばＭＰＥＧでエンコードされている。そして、記録再生部３は、音声データをＤ／Ａコンバータ１１に、映像データを映像処理部１３に、両データの同期を取りながら、それぞれ出力する。
【００１９】
Ｄ／Ａコンバータ１１は、伸長された音声データをアナログの再生音声信号に変換し、その再生音声信号を外部のテレビジョン１０１に出力する。
なお、テレビジョン１０１がディジタル対応であれば、ディジタルで出力しても構わない。
【００２０】
映像処理部１３は、入力された映像データをアナログの再生映像信号に変換し、外部のテレビジョン１０１に出力する。
なお、テレビジョン１０１がディジタル対応であれば、ディジタルで出力しても構わない。
【００２１】
Ｄ／Ａコンバータ１１及び映像処理部１３には、テレビジョン１０１が接続される。ユーザは、このテレビジョン１０１において、Ｄ／Ａコンバータ１１及び映像処理部１３から出力された映像信号に基づく映像、及び音声信号に基づく音声を視聴することができる。
【００２２】
次に、記録時の動作について説明する。
受信部１０は、例えばチューナである。受信部１０は、ＴＶ放送等を受信するアンテナから選択されているチャンネルのＴＶ放送信号を抽出して、Ａ／Ｄ変換してディジタル化し、出力する。インターネット、ディジタル放送などのようにデータとして入力されてくるならば、受信部１０は、パケット又はＴＶ放送信号等からデータを抽出して、出力する。
【００２３】
そして、記録再生部３は、入力されたデータを（例えば、ＭＰＥＧで）エンコードし、ディジタル信号をＰＵヘッド２に出力する。
【００２４】
さらに、ＰＵヘッド２は、記録再生部３からディジタル信号が入力されると、このディジタル信号に応じて記録パワーのレーザ光を制御し、光ディスク１００の記録面に照射する。
【００２５】
操作部５は、ユーザが光ディスク装置１に対して各種の命令（コマンド）を入力するためのものであり、再生キーや録画キーやエジェクトキーを含む複数のキーが設けられている。光ディスク装置１に対してユーザが入力したコマンドは制御部４に伝送される。
このエジェクトキーは、光ディスク１００をエジェクトするために指定するキーである。
【００２６】
記憶部６は、例えばハードディスクやＥＥＰＲＯＭで構成されており、装置本体１の主制御プログラムを記憶する。さらに、記憶部６は、光ディスク１００の記録管理に用いられる記録管理情報と、光ディスク１００を一意に識別するＩＤと、光ディスク１００におけるレーザパワーの校正が行われた領域とまだ行われていない領域との境界点と、を記憶する。
【００２７】
表示部７は、時刻、光ディスク装置１の設定状態などを表示する。
【００２８】
制御部４は、例えばマイクロコンピュータで構成されており、光ディスク装置１にユーザから入力された命令に応じて光ディスク装置１の各部を制御する。制御部４は、上記の主制御プログラムなどを展開するワークフィールドとしてのＲＡＭを内蔵する。
また、制御部４は、装置本体１にマウントされている光ディスク１００への記録が終了した後に、光ディスク１００から記録管理情報およびＩＤを読取るとともに、光ディスク１００の境界点を調査して、記録管理情報、境界点、およびＩＤを記憶部６に記録する終了記録機能を有する。この終了記録機能の詳細については、後述する。
【００２９】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３０】
ここで、ＰＵヘッド２、記録再生部３、及び制御部４が、本発明の「記録読取手段」に相当する。また、記憶部６が、本発明の「記憶手段」に相当する。
【００３１】
図２は、光ディスク１００の記録領域を示す図である。光ディスク１００の記録領域は、その内周から外周にかけてＰＣＡ、ＲＭＡ、リードイン領域、データ領域、リードアウト領域に分けられている。
【００３２】
ＰＣＡは、レーザパワーの校正が行える領域である。そのため、レーザパワーの校正が行われた領域とまだ行われていない領域との境界点は、ＰＣＡを調査することにより取得できる。ここで、そのＰＣＡでは、レーザパワーの校正が現在９９回行えるとされている。
【００３３】
ＲＭＡは、光ディスク装置１にとって必要な記録管理情報が記録されている領域である。制御部４は、この記録管理情報を参照することによって、例えばデータが光ディスク１００上にどこまで記録されているかということを把握する。
【００３４】
リードイン領域は、光ディスク１００上のデータ領域に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。ＩＤは、光ディスクの個体を一意に識別する情報であり、ＲＭＡ又はリードイン領域に予め記録されている。この実施形態では、ＩＤはリードイン領域に予め記録されていることとする。ＩＤは、例えばメディアＩＤである。
【００３５】
データ領域は、保存されたデータが記録されている領域である。
【００３６】
リードアウト領域は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３７】
以下、光ディスク１００への記録が終了した後の第１の場面と、光ディスク１００が装置本体１にマウントされた第２の場面と、に分けて説明する。
【００３８】
まず、第１の場面について説明する。
図３は、本発明の実施形態である光ディスク装置において光ディスクのエジェクトが指示された時に制御部が行う動作を示すフローチャートである。操作部５において光ディスク１００のエジェクトが指示されると、制御部４は、以下の終了記録機能を実行する。
なお、この実施形態では、操作部５において光ディスク１００のエジェクトが指示された時に終了記録機能を実行しているが、これに限定する趣旨ではなく、実施の際は、他のタイミングで終了記録機能を実行しても良い。例えば光ディスク１００への記録が終了する都度に終了記録機能を実行しても良い。
【００３９】
まず、制御部４は、光ディスク１００のＲＭＡ又はリードイン領域からＩＤをＰＵヘッド２に読取らせる（Ｓ１）。
【００４０】
次に、制御部４は、光ディスク１００のＲＭＡから記録管理情報をＰＵヘッド２に読取らせる（Ｓ２）。ここでは、制御部４は、ＲＭＡから最新の記録管理情報をＰＵヘッド２に探索させ、最新の記録管理情報をＰＵヘッド２に読取らせる。最新の記録管理情報は、ＲＭＡに記録されている記録管理情報の終端に位置する。
【００４１】
そして、制御部４は、上記のＩＤと記録管理情報とを記憶部６に記録する（Ｓ３）。既に記憶部６に記録されているＩＤと記録管理情報とがある場合、制御部４は、Ｓ１及びＳ２で読取った最新のＩＤ及び記録管理情報によって更新記録する。
【００４２】
次に、制御部４は、光ディスク１００のＰＣＡにおいて、レーザパワーの校正が行われた領域とまだ行われていない領域との境界点をＰＵヘッド２に調査させる（Ｓ４）。
【００４３】
そして、制御部４は、調査した境界点を記憶部６に記録する（Ｓ５）。具体的には、制御部４は、レーザパワーの校正を行った回数又は光ディスク１００上の場所（アドレス）等を記憶部６に記録すると良い。また、上記のＳ３と同様、既に記憶部６に記録されている境界点がある場合、制御部４は、Ｓ４で調査した最新の境界点によって更新記録する。
【００４４】
最後に、制御部４は、光ディスク１００を排出機構（不図示）にエジェクトさせ（Ｓ６）、本処理を終了する。
【００４５】
次に、第２の場面について説明する。
図４は、本発明の実施形態である光ディスク装置において光ディスクがマウントされた時に制御部が行う動作を示すフローチャートである。ここで、光ディスク１００がマウントされた時とは、装置本体１に光ディスク１００がセットされた時や、装置本体１に光ディスク１００がセットされている状態で再生コマンドが入力された時等である。光ディスク１００がマウントされると、制御部４は、以下のマウント処理を実行する。
【００４６】
まず、制御部４は、光ディスク１００のリードイン領域から光ディスク１００のディスク制御情報をＰＵヘッド２に読取らせる（Ｓ１１）。ディスク制御情報には、上記のＩＤやＴＯＣデータも含まれる。
【００４７】
次に、制御部４は、光ディスク１００のＰＣＡにおいて、レーザパワーの校正が行われた領域とまだ行われていない領域との境界点をＰＵヘッド２に調査させる（Ｓ１２）。この調査は、Ｓ４で行われる調査と同様である。
【００４８】
制御部４は、記憶部６にＩＤ及び境界点が記録されているか否かを判断する（Ｓ１３）。
【００４９】
Ｓ１３が判断肯定であれば、制御部４は、第１の場面（前回）のＳ３及びＳ５において記憶部６に記録したＩＤと境界点と記録管理情報とを、記憶部６から読取る（Ｓ１４）。
【００５０】
そして、制御部４は、Ｓ１１において光ディスク１００から読取ったＩＤがＳ１４において記憶部６から読取ったＩＤと一致するか否かを判断する（Ｓ１５）。ここで、ＩＤが一致するということは、今回マウントされている光ディスク１００が前回マウントされていた光ディスク１００と同じ光ディスクであるということを意味する。
【００５１】
Ｓ１５において、ＩＤが一致すると判断した場合、制御部４は、Ｓ１２において光ディスク１００から調査した境界点がＳ１４において記憶部６から読取った境界点と一致するか否かを判断する（Ｓ１８）。ここで、境界点が一致するということは、今回マウントされている光ディスク１００が、前回のエジェクト時以後、他の光ディスク装置によってデータを記録されていないことを意味する。つまり、Ｓ１５判断肯定且つＳ１８判断肯定は、今回マウントされている光ディスク１００と前回マウントした光ディスク１００とが同一であり、且つ今回マウントされている光ディスク１００に記録されている記録管理情報と記憶部６に記録されている記録管理情報とが同一のものであることを意味する。
【００５２】
Ｓ１８において境界点が一致しないと判断した場合、又はＳ１５においてＩＤが一致しないと判断した場合、又はＳ１３において記憶部６に情報が存在しないと判断した場合、制御部４は、ＲＭＡにおいて記録管理情報の終端をＰＵヘッド２に探索させる（Ｓ１６）。ここでは、制御部４は、最新の記録管理情報を探索させている。
【００５３】
そして、制御部４は、光ディスク１００から記録管理情報を読取って利用し（Ｓ１７）、本処理を終了する。
【００５４】
一方、Ｓ１８において境界点が一致すると判断した場合、制御部４は、（前回に）記憶部６に記録した方の記録管理情報を利用し（Ｓ１９）、本処理を終了する。ここで、制御部４は、Ｓ１６及びＳ１７における光ディスク１００からの記録管理情報の読取りを省略するので、ＲＭＡに記録されている記録管理情報の読取を行う必要がない。
そのため、マウント処理に要する時間（Ｓ１６、Ｓ１７に要する時間）を短縮することができる。従って、ユーザの使い勝手を向上させることができる。
【００５５】
また、本発明の実施形態は、以下の変形例を採用することができる。
【００５６】
（第１変形例）
制御部４が有する終了記録機能を有効にするか無効にするかを切替える切替キーを操作部５に設けても良い。そして、制御部４は、切替キーにおいて終了記録機能が無効に切替られている場合、終了記録機能を無効にする。
そのため、終了記録機能を有効にするか無効にするかのいずれか一方をユーザが切替できる。
【００５７】
この第１変形例においては、終了記録機能を有効にすると、上述と同じようにマウント時間を短縮することができる。一方、終了記録機能を無効にすると、第１の場面において光ディスク１００から記録管理情報の読取等を行わなくなる。具体的には、光ディスク１００のエジェクトが指示された時、制御部４は、光ディスク１００から記録管理情報の読取等（Ｓ１〜Ｓ５）を行う必要がないため、光ディスク１００をすぐにエジェクトする（Ｓ６）。逆に、マウント時間は短縮されない。
【００５８】
以上より、第１の場面におけるエジェクトを指示してからその命令が実行されるまでに要する時間（Ｓ１〜Ｓ５に要する時間）を短縮させるか、第２の場面におけるマウント処理に要する時間（Ｓ１６、Ｓ１７に要する時間）を短縮させるか、をユーザが自分の使用方法に応じて選択できる。
従って、ユーザの使い勝手を一層向上させることができる。
【００５９】
ここで、制御部４が、本発明の「無効手段」に相当する。また、操作部５が、本発明の「切替手段」に相当する。
【図面の簡単な説明】
【００６０】
【図１】本発明の実施形態である光ディスク装置の主要な構成を示すブロック図
【図２】光ディスク１００の記録領域を示す図
【図３】本発明の実施形態である光ディスク装置において光ディスクのエジェクトが指示された時に制御部が行う動作を示すフローチャート
【図４】本発明の実施形態である光ディスク装置において光ディスクがマウントされた時に制御部が行う動作を示すフローチャート
【符号の説明】
【００６１】
１−光ディスク装置
２−ピックアップヘッド
３−記録再生部
４−制御部
５−操作部
６−記憶部
７−表示部
１０−受信部
１１−Ｄ／Ａコンバータ
１３−映像処理部
１００−光ディスク
１０１−テレビジョン
【図１】
2007323696.tif 000003
【図２】
2007323696.tif 000004
【図３】
2007323696.tif 000005
【図４】
2007323696.tif 000006